(57)【特許請求の範囲】
【請求項１】
短手方向に伸びる擬似溝が表面に形成されたパネル本体と、このパネル本体に内蔵される電気ヒータと、この電気ヒータに結線された状態で前記パネル本体を横断する電源線と、この電源線の両端にそれぞれ接続されたコネクタと、一方の前記コネクタを前記パネル本体の一方の長辺側から引出可能に収容する、前記パネル本体の裏面側に形成された収容凹部とを備えた床暖房パネルにおいて、
前記パネル本体に形成された前記擬似溝の近傍から外れると共に、前記パネル本体の長手方向の端部から３０３ｍｍピッチの基準位置の左右２５ｍｍ以内の領域から外れるように、前記収容凹部を形成したことを特徴とする床暖房パネル。
【請求項２】
前記パネル本体に形成された前記擬似溝の左右１０ｍｍ以内の領域から外れるように、前記収容凹部を形成した請求項１に記載の床暖房パネル。
【請求項３】
前記収容凹部の上面に補強板が固着された請求項１または２に記載の床暖房パネル。
【発明の詳細な説明】
【０００１】
【発明の属する技術分野】
この発明は、パネル本体に内蔵された電気ヒータに結線された電源線の両端部にそれぞれコネクタが接続され、一方のコネクタがパネル本体から引出可能に収容される床暖房パネルに関する。
【０００２】
【従来の技術】
この種の床暖房パネルとしては、図７に示すようなものがある。この床暖房パネル５０は、同図に示すように、長手方向に伸びる複数の擬似溝５１ａと短手方向に伸びる複数の擬似溝５１ｂとが表面に形成された、平面形状が長方形のパネル本体５１に自己温度制御特性を有する面状発熱体５２が内蔵されていると共に、この面状発熱体５２に接続される一対の電源線５３及び１本のアース線５４がパネル本体５１の短手方向を横断するように配設されており、この電源線５３及びアース線５４の両端部にはそれぞれコネクタ５５、５６が接続されている。
【０００３】
一方のコネクタ５５は、図８（ａ）に示すように、パネル本体５１の一方の長辺側に形成された収容凹部５７に収容された状態に固定設置されており、他方のコネクタ５６は、同図（ｂ）、（ｃ）に示すように、パネル本体５１の他方の長辺側に形成された収容凹部５８にパネル本体５１から引出可能に収容されている。
【０００４】
【発明が解決しようとする課題】
ところで、こういった床暖房パネル５０は、通常の床板と同様の厚み（通常、１２ｍｍ程度）に設定しなければならないという制限があり、しかも、コネクタ５５、５６についても、通常８ｍｍ程度の厚みが必要となるので、こういった床暖房パネル５０のパネル本体５１にコネクタ５５、５６の収容凹部５７、５８を形成すると、その収容凹部５７、５８を形成した部分におけるパネル本体５１の厚みが４ｍｍ程度と薄くなってしまうのが現状である。
【０００５】
ここで、固定側のコネクタ５５を収容するための収容凹部５７は、図８（ａ）に示すように、コネクタ５５を丁度収容することができる大きさに設定すればよいので、かかる収容凹部５７にコネクタ５５を収容して固定設置した状態では、収容凹部５７内にはほとんど空間が存在しておらず、収容されたコネクタ５５によって荷重を受けることができるため、収納凹部５７を形成した部分におけるパネル本体５１の厚みが小さくなっても、特に問題になることはない。
【０００６】
しかしながら、可動側のコネクタ５６を収容するための収容凹部５８は、上述したように、コネクタ５６以外に電源線５３やアース線５４の余剰分を合わせて収容しなければならないので、収容しようとするコネクタ５６に比べて、その幅や奥行きを大きく設定しておかなければならず、図８（ｃ）及び図９に示すように、コネクタ５６を収容した状態であっても収納凹部５８内にある程度の空間が形成されることになる。
【０００７】
特に、図７及び図９に示すように、パネル本体５１に形成された擬似溝５１ｂの直下や近傍に可動側コネクタ５６の収容凹部５８が形成されると、擬似溝５１ｂの近傍部分の肉厚が極端に小さくなってしまい、こういった構造の床暖房パネル５０を敷設した状態で、その収容凹部５８が形成されている部分に衝撃荷重が加わると、その擬似溝５１ｂ部分に亀裂が入り、パネル本体５１が破壊されるおそれがあった。
【０００８】
そこで、この発明の課題は、コネクタを引出可能に収容する収容凹部が形成された部分に衝撃荷重が加わった場合でも、パネル本体が破壊されない床暖房パネルを提供することにある。
【０００９】
【課題を解決するための手段及びその効果】
上記の課題を解決するため、請求項１に係る発明は、短手方向に伸びる擬似溝が表面に形成されたパネル本体と、このパネル本体に内蔵される電気ヒータと、この電気ヒータに結線された状態で前記パネル本体を横断する電源線と、この電源線の両端にそれぞれ接続されたコネクタと、一方の前記コネクタを前記パネル本体の一方の長辺側から引出可能に収容する、前記パネル本体の裏面側に形成された収容凹部とを備えた床暖房パネルにおいて、前記パネル本体に形成された前記擬似溝の近傍から外れると共に、前記パネル本体の長手方向の端部から３０３ｍｍピッチの基準位置の左右２５ｍｍ以内の領域から外れるように、前記収容凹部を形成したのである。
【００１０】
以上のように構成された床暖房パネルは、パネル本体に形成された擬似溝の近傍から外れるように、収容凹部が形成されているので、パネル本体における擬似溝部分及び擬似溝近傍の厚みが極端に小さくなることがない。従って、この床暖房パネルを敷設した状態で、収容凹部が形成されている部分に衝撃荷重が加わったとしても擬似溝部分に亀裂が入りにくく、パネル本体の破壊を有効に防止することができる。
【００１１】
また、根太工法によって床暖房パネルを敷設する場合、通常、４５ｍｍ幅の根太が３０３ｍｍピッチで配設されることになるので、床暖房パネルの電源線を電源に接続するために床下に落とし込む際、電源線が根太に当たりにくくなり、床暖房パネルの敷設作業性が向上するという効果がある。
【００１２】
特に、請求項２に記載の床暖房パネルのように、前記パネル本体に形成された前記擬似溝の左右１０ｍｍ以内の領域から外れるように、前記収容凹部を形成しておくと、パネル本体における擬似溝部分や擬似溝の近傍部分の強度が大きくなり、収容凹部が形成されている部分に衝撃荷重が加わることによるパネル本体の破壊を確実に防止することができる。
【００１３】
また、請求項３に記載の床暖房パネルのように、前記収容凹部の上面に補強板を固着しておくと、収容凹部が形成されている部分におけるパネル本体の強度がさらに向上するという効果がある。
【００１４】
【発明の実施の形態】
以下、実施の形態について図面を参照して説明する。図１〜図４に示すように、この床暖房パネル１は、長方形状のパネル本体１０と、このパネル本体１０に内蔵される自己温度制御特性を有する面状発熱体２０と、この面状発熱体２０に結線された状態でパネル本体１０をその短手方向に横断する電源線３０ａ及びアース線３０ｂと、この電源線３０ａ及びアース線３０ｂの両端にそれぞれ接続されたコネクタ４０ａ、４０ｂとから構成されている。
【００１５】
前記パネル本体１０は、図１及び図２（ａ）、（ｂ）に示すように、表面に突板等の表面化粧材（図示せず）が貼着された、３プライ合板または５プライ合板等の木質板からなるパネル基材１１と、このパネル基材１１の裏面側に形成された嵌合凹部１１ａに嵌め込まれる、合板や中質繊維板（ＭＤＦ）等からなる裏板１６ａ、１６ｂとから構成されており、図１に示すように、前記パネル基材１１の表面には、長手方向に伸びる３本の擬似溝１２ａが一定間隔で形成されていると共に、短手方向に伸びる複数本の擬似溝１２ｂがランダムな位置に形成されている。
【００１６】
また、パネル基材１１の端面には、図１、図２（ａ）及び図４（ａ）に示すように、実結合するための雄実部１３ａまたは雌実部１３ｂが形成されており、パネル基材１１の裏面側には、嵌合凹部１１ａの内側に面状発熱体２０を収容するための発熱体収容凹部１１ｂが形成されている。
【００１７】
前記面状発熱体２０は、図２（ｃ）に交斜線で示すように、発熱部分２１が二分割されており、二分割された発熱部分２１間の非発熱部分に、両端にコネクタ４０ａ、４０ｂがそれぞれ接続された電源線３０ａ及びアース線３０ｂが予め結線された状態で配設されている。なお、この面状発熱体２０には、表面側にアルミニウム箔等からなる熱伝導性の良好な均熱シート（図示せず）が予め貼着された状態で、合成樹脂フィルムによってラミネートされている。
【００１８】
この面状発熱体２０は、図３（ａ）に示すように、パネル基材１１に形成された発熱体収容凹部１１ｂに収容した状態で、同図（ｂ）に示すように、嵌合凹部１１ａに裏板１６ａ、１６ｂを嵌め込んでパネル基材１１に固定することによって、発熱体収容凹部１１ｂ内に保持されるようになっている。なお、裏板１６ａ、１６ｂは、発熱体収容凹部１１ｂに収容された面状発熱体２０の発熱部分２１を覆うように設けられており、電源線３０ａ及びアース線３０ｂが配設された非発熱部分は、電源線３０ａ及びアース線３０ｂが露出するように開放されている。
【００１９】
また、パネル基材１１の裏面側には、図２（ａ）に示すように、その長辺部分に前記コネクタ４０ａ、４０ｂをそれぞれ収容するためのコネクタ収容凹部１４ａ、１４ｂが形成されていると共に、電源線３０ａ及びアース線３０ｂが横断する部分に両コネクタ収容凹部１４ａ、１４ｂを結ぶ浅い連結溝１５が形成されている。一方のコネクタ４０ａは、コネクタ収容凹部１４ａ内に収容された状態で固定設置されているが、他方のコネクタ４０ｂは、図４（ｃ）に示すように、パネル基材１１から引出可能にコネクタ収容凹部１４ｂ内に収容されるようになっている。
【００２０】
コネクタ４０ｂをパネル基材１１から引出可能に収容するコネクタ収容凹部１４ｂには、図２（ａ）及び図４（ｂ）、（ｃ）に示すように、その上面に、門型の補強板１７が固着されており、この補強板１７によってコネクタ収容凹部１４ｂの上面が完全に覆われている。この補強板１７は、アルマイト仕上げ（絶縁処理済み）のアルミニウムによって形成されており、図６に示すように、収容凹部１４ｂの上面を覆う本体部１７ａと、この本体部１７ａの両側縁から垂下した垂下部１７ｂ、１７ｃとから構成されている。
【００２１】
コネクタ収容凹部１４ｂは、電源線３０ａ及びアース線３０ｂの一部を屈曲させた状態でコネクタ４０ｂと共に収容しなければならないので、図２（ａ）、図４（ｃ）及び図５に示すように、コネクタ収容凹部１４ａに比べてその幅及び奥行きが大きくなっており、図１に示すように、擬似溝１２ｂから１０ｍｍ以上離れた位置であって、パネル本体１０の長手方向の端部から３０３ｍｍピッチの基準位置の左右２５ｍｍ以内の領域から外れるような位置に形成されている。従って、コネクタ収容凹部１４ａも、パネル本体１０の長手方向の端部から３０３ｍｍピッチの基準位置の左右２５ｍｍ以内の領域から外れるような位置に形成されることになる。
【００２２】
以上のように、この床暖房パネル１は、可動側のコネクタ４０ｂを収容するために幅や奥行きがある程度大きく設定されるコネクタ収容凹部１４ｂを、パネル本体１０の短手方向に伸びる擬似溝１２ｂの形成位置から１０ｍｍ以上離して形成するようにしたので、パネル基材１１における擬似溝１２ｂ部分や擬似溝１２ｂ近傍の厚みが極端に小さくなることがなく、パネル基材１１の強度が部分的に著しく低下することがない。従って、この床暖房パネル１を敷設した状態で、コネクタ収容凹部１４ｂが形成されている部分に衝撃荷重が加わったとしても、擬似溝１２ｂ部分に亀裂が入りにくく、パネル本体１０の破壊を確実に防止することができる。
【００２３】
特に、この床暖房パネル１では、コネクタ収容凹部１４ｂの上面にアルミニウム製の補強板１７が固着されているので、コネクタ収容凹部１４ｂが形成されている部分におけるパネル本体１０の強度がさらに向上する。
【００２４】
また、根太工法によって床板や床暖房パネルを敷設する場合、３０３ｍｍピッチで配設された４５ｍｍ幅の根太の上に、長手方向の端部が位置するように、床板や床暖房パネルを敷設していくのが一般的であるので、この床暖房パネル１のように、パネル本体１０の長手方向の端部から３０３ｍｍピッチの基準位置の左右２５ｍｍ以内の領域から外れるように、コネクタ収容凹部１４ａ、１４ｂを形成しておくと、この床暖房パネル１を敷設した状態では、電源線３０ａ等の横断部分が根太の上にくる可能性が低くなる。従って、この床暖房パネル１を敷設した後、床暖房パネル１の電源線３０ａ等を電源に接続するために床下に落とし込む際、電源線３０ａ等が根太に当たりにくくなり、床暖房パネル１の敷設作業性が向上する。
【００２５】
なお、上述した実施形態では、パネル本体１０の短手方向に伸びる擬似溝１２ｂから１０ｍｍ以上離してコネクタ収容凹部１４ｂを形成するようにしているが、これに限定されるものではなく、擬似溝１２ｂの近傍から外れるように、コネクタ収容凹部１４ｂを形成すればよい。ただし、パネル本体１０の破壊を確実に防止するためには、上述したように、擬似溝１２ｂから１０ｍｍ以上離してコネクタ収容凹部１４ｂを形成しておくことが望ましい。
【００２６】
また、上述した実施形態では、固定側のコネクタ４０ａを収容するコネクタ収容凹部１４ａの形成位置を特に限定しているわけではないが、コネクタ収容凹部１４ａが形成されている部分についてもパネル基材１１の肉厚が小さくなるので、コネクタ収容凹部１４ｂと同様に、擬似溝１２ｂから１０ｍｍ以上離して形成しておくことが望ましい。
【００２７】
また、上述した実施形態では、電気ヒータとして自己温度制御特性を有する面状発熱体２０を使用しているが、これに限定されるものではなく、線ヒータを使用することも可能である。
【００２８】
また、上述した各実施形態は、パネル本体１０が長方形状の床暖房パネルであるが、本発明の床暖房パネルは、こういった形状に限定されるものではなく、パネル本体が雁行形状の床暖房パネルについても適用することができることは言うまでもない。
【００２９】
また、上述した各実施形態では、アルミニウム製の補強板１７を使用しているが、アルミニウム以外の金属や合成樹脂によって形成された補強板を使用することもでき、垂下部１７ｂ、１７ｃを省略することも可能である。ただし、垂下部１７ｂ、１７ｃを設けることによって、補強板１７の強度が向上することはいうまでもない。
【図面の簡単な説明】
【図１】この発明にかかる床暖房パネルの一実施形態を示す平面図である。
【図２】（ａ）は同上の床暖房パネルにおけるパネル基材を示す裏面図、（ｂ）は同上の床暖房パネルにおける裏板を示す裏面図、（ｃ）は同上の床暖房パネルにおける面状発熱体を示す裏面図である。
【図３】（ａ）は同上の床暖房パネルのパネル基材に面状発熱体を収容した状態を示す裏面図、（ｂ）は面状発熱体を収容したパネル基材に裏板を取り付けた状態を示す裏面図である。
【図４】（ａ）は図１のＸ−Ｘ線に沿った断面図、（ｂ）は図１のＹ−Ｙ線に沿った断面図、（ｃ）は図１のＺ−Ｚ線に沿った断面図である。
【図５】同上の床暖房パネルにおける可動側のコネクタをコネクタ収容凹部に収容した状態を示す端面図である。
【図６】同上の床暖房パネルに使用される補強板を示す斜視図である。
【図７】従来の床暖房パネルを示す平面図である。
【図８】（ａ）〜（ｃ）は同上の床暖房パネルを示す断面図である。
【図９】同上の床暖房パネルにおけるコネクタを収容した状態を示す端面図である。
【符号の説明】
１  床暖房パネル
１０  パネル本体
１１  パネル基材
１２ａ、１２ｂ  擬似溝
１４ａ、１４ｂ  コネクタ収容凹部
１６ａ、１６ｂ  裏板
１７  補強板
２０  面状発熱体
３０ａ  電源線
３０ｂ  アース線
４０ａ、４０ｂ  コネクタ
【図１】
0004364403.tif 000002
【図２】
0004364403.tif 000003
【図３】
0004364403.tif 000004
【図４】
0004364403.tif 000005
【図５】
0004364403.tif 000006
【図６】
0004364403.tif 000007
【図７】
0004364403.tif 000008
【図８】
0004364403.tif 000009
【図９】
0004364403.tif 000010